(57)【要約】【課題】構成を簡素化しながらブロアの風量を抑えることができる吸収式冷温水機を提供する。【解決手段】排ガスを発生する機器からの排ガスを熱源とする排ガス焚き再生器１と、排ガス焚き再生器１に排ガスを導く導入流路１１と、排ガス焚き再生器１から排ガスを排出する排出流路１３と、導入流路１１から分岐するバイパス流路１５と、導入流路１１に設けられた第１のダンパー１９ａ及びバイパス流路１５に設けられた第２のダンパー１９ｂを有して導入流路１１とバイパス流路１５とに排ガスの流れを切り換える流路切換手段１９と、排出流路１３に設けられて排出流路１３内の排ガスの通流を遮断するダンパー２３と、排出流路１３の排ガスの通流を遮断するダンパー２３と排ガス焚き再生器１との間の部分に気体を吹き込む送気手段２５とを備えた構成とする。【選択図】        図１
2004239544.tif 000002
【特許請求の範囲】
【請求項１】
排ガスを発生する機器からの排ガスを熱源とする排ガス焚き再生器と、該排ガス焚き再生器に排ガスを導く導入流路と、前記排ガス焚き再生器から排ガスを排出する排出流路と、前記導入流路から分岐するバイパス流路と、前記導入流路に設けられた少なくとも１つのダンパーを有して前記導入流路と前記バイパス流路とに排ガスの流れを切り換える流路切換手段と、前記排出流路に設けられて該排出流路内の排ガスの通流を遮断するダンパーと、前記排出流路内の排ガスの通流を遮断するダンパーと前記排ガス焚き再生器との間の前記排出流路の部分に気体を吹き込む送気手段とを備えた吸収式冷温水機。
【請求項２】
前記流路切換手段は、前記導入流路に設けられた第１のダンパーと、前記バイパス流路に設けられた第２のダンパーとを有することを特徴とする請求項１に記載の吸収式冷温水機。
【請求項３】
前記流路切換手段は、前記導入流路と前記バイパス流路との分岐部に設けられた三方ダンパーであることを特徴とする請求項１に記載の吸収式冷温水機。
【発明の詳細な説明】
【０００１】
【発明の属する技術分野】
本発明は、吸収式冷温水機に係り、特に、排ガスを熱源とする排ガス焚き再生器を備えた吸収式冷温水機に関する。
【０００２】
【従来の技術】
排ガスを熱源とする排ガス焚き再生器を備えた吸収式冷温水機は、導入流路を介して排ガスを発生する機器からの排ガスを排ガス焚き再生器に導き、排出流路によって排ガス焚き再生器から排ガスを排出している。このとき、排ガスを発生する機器が排ガスを発生しているときに吸収式冷温水機が停止していると、排ガスからの入熱により、排ガス焚き再生器内での吸収液の晶析や、排ガス焚き再生器内の排ガスの流路内での結露の発生などから、排ガス焚き再生器を構成する部材に腐蝕などが発生してしまう。
【０００３】
そこで、排ガス焚き再生器をバイパスさせて排ガスを通流させて排出するバイパス管路を設け、排ガスを発生する機器が排ガスを発生しているときに吸収式冷温水機が停止している場合、排ガスが排ガス焚き再生器に通流しないようにバイパス管路に流すことが考えられている。このとき、排ガス焚き再生器とバイパス管路との排ガスが流れる方向の切換は、コストなどの問題からダンパーを用いて行うことになる。
【０００４】
ところが、ダンパーは、その構造上シール性に限界があり、完全に排ガスの流れを止めることはできず、排ガスの漏れが発生してしまう。このため、ダンパーの漏れにより排ガス焚き再生器に流れ込んだ排ガスの熱により、やはり、排ガス焚き再生器内での吸収液の晶析や、排ガス焚き再生器内の排ガスの流路内での結露の発生などから、排ガス焚き再生器を構成する部材に腐蝕などが発生してしまう。
【０００５】
これに対して、従来の排ガス焚き再生器を備えた吸収式冷温水機では、バイパス流路と排出流路との合流部に、バイパス流路側のダンパーと排出流路側のダンパーとの２つのダンパーを設け、排ガスの流れをバイパス流路方向と排ガス焚き再生器方向とに切り換え、さらに、排出流路の、この排出流路に設けられたダンパーと排ガス焚き再生器との間の部分に気体を吹き込むブロワを含む送気手段を設けている。これにより、排ガスを発生する機器が排ガスを発生しているときに吸収式冷温水機が停止している場合、排ガス流路側のダンパーを閉じ、バイパス流路側のダンパーを開いて排ガスをバイパス流路に導くと共に、送気手段により、排出流路内に気体を送気することで排ガス焚き再生器内に排ガスが流入しないようにしている（例えば、特許文献１参照）。
【０００６】
また、導入流路に間隔をおいて２つのダンパーを、さらにバイパス管路と排出管路とに各々ダンパーを設けると共に、導入流路のこれらの２つダンパー間の部分に送気手段、そして、導入流路のこれらの２つダンパー間の部分における圧力と、排ガスの流れに対して上流側に位置するダンパーよりも上流側の導入流路の部分における圧力との圧力差を検出するための圧力検出手段を設けた構成としているものもある。この場合、導入流路のこれらの２つダンパー間の部分における圧力が、排ガスの流れに対して上流側に位置するダンパーよりも上流側の導入流路の部分における圧力よりも高いときに送気手段を駆動することで、ダンパーの漏れによる排ガス焚き再生器への排ガスの流入を防いでいる（例えば、特許文献２参照）。
【０００７】
【特許文献１】
特開２００２−１６８５４４号公報（第３−４頁、第１図）
【特許文献２】
実開昭５７−３０６８０号公報（第４−１０頁、第２図）
【０００８】
【発明が解決しようとする課題】
ところで、特許文献１のように、バイパス流路側のダンパーと排出流路側のダンパーとの２つのダンパーを設けると共に、排出流路に送気手段を設けた構成では、排ガスの流れに対して排ガス焚き再生器よりも上流側、つまり導入流路側が開放状態となっている。このため、排ガス焚き再生器内に排ガスが侵入しないようにするためには、送気手段が有するブロアの風量は、比較的大きなものが必要となる。しかし、ブロアの風量が大きくなるに連れて、消費電力や騒音などが増大してしまうことから、できるだけブロアの風量は抑える必要がある。
【０００９】
これに対して、特許文献２のように、導入流路に間隔をおいて２つのダンパーを設けると共に、導入流路のこれらの２つダンパー間の部分に送気手段などを設けた構成では、導入流路の２つダンパー間の部分の閉じた空間内を昇圧できればよいため、ブロアの風量は抑えることができる。しかし、ダンパーの数が多くなるなど、構成が複雑になってしまう。
【００１０】
本発明の課題は、構成を簡素化しながらブロアの風量を抑えることにある。
【００１１】
【課題を解決するための手段】
本発明の吸収式冷温水機は、排ガスを発生する機器からの排ガスを熱源とする排ガス焚き再生器と、この排ガス焚き再生器に排ガスを導く導入流路と、排ガス焚き再生器から排ガスを排出する排出流路と、導入流路から分岐するバイパス流路と、導入流路に設けられた少なくとも１つのダンパーを有して導入流路とバイパス流路とに排ガスの流れを切り換える流路切換手段と、排出流路に設けられてこの排出流路内の排ガスの通流を遮断するダンパーと、排出流路内の排ガスの通流を遮断するダンパーと排ガス焚き再生器との間の部分に気体を吹き込む送気手段とを備えた構成とすることにより上記課題を解決する。
【００１２】
このような構成とすれば、排ガスを発生する機器が排ガスを発生しているときに吸収式冷温水機が停止している場合、流路切換手段が有するダンパーで導入流路の排ガスの通流を遮断し、バイパス流路に排ガスが通流する状態にすることができる。このとき、排出流路内の排ガスの通流をダンパーで遮断すると共に、送気手段が駆動されるが、送気手段は、導入流路の排ガスの通流を遮断しているダンパーと排出流路内の排ガスの通流を遮断しているダンパーの間の、排ガス焚き再生器内の排ガスの流路を含む閉じた空間内を昇圧できればよいため、ブロアの風量を抑えることができる。さらに、ダンパーの数は従来に比べて少なくて済み、構成を簡素化できる。すなわち、構成を簡素化しながらブロアの風量を抑えることができる。
【００１３】
また、流路切換手段は、導入流路に設けられた第１のダンパーと、前記バイパス流路に設けられた第２のダンパーとを有する構成とすれば、ダンパーの設置位置の自由度が高くなる。
【００１４】
ところで、従来のバイパス流路と排出流路との合流部にダンパーを設けると共に、排出流路に送気手段を設けた構成では、１つのダンパーでバイパス流路側のダンパーと排出流路側のダンパーの役割を果たす三方ダンパーを用いて構成を簡素化することは難しい。すなわち、バイパス流路と排気流路との合流部に三方ダンパーを用いた場合、排ガスの流れがダンパーの可動板を開方向に押すことになるため、排ガスの漏れが増大することから、三方ダンパーは用い難い。
【００１５】
これに対して、流路切換手段は、導入流路とバイパス流路との分岐部に設けられた三方ダンパーである構成とすれば、排ガスの流れがダンパーの可動板を閉方向に押すことになるため、漏れが増大せず、三方ダンパーを用いることができる。したがって、ダンパーの数がさらに減り、構成をさらに簡素化できる。
【００１６】
【発明の実施の形態】
以下、本発明を適用してなる吸収式冷温水機の一実施形態について図１及び図２を参照して説明する。図１は、本発明を適用してなる吸収式冷温水機の概略構成を示す図である。図２は、本発明を適用してなる吸収式冷温水機の排ガス焚き再生器に連結された排ガス流路の概略構成を示す図である。
【００１７】
本実施形態の吸収式冷温水機は、図１に示すように、排ガス焚き再生器１、直焚き再生器３、低温再生器４、凝縮器５、蒸発器７、そして吸収器９などで構成されている。排ガス焚き再生器１は、燃焼による排ガスを発生する機器からの排ガスと稀溶液との間で熱交換を行い、排ガスが有する熱で稀溶液を加熱し冷媒蒸気を発生させるものである。このような排ガス焚き再生器１は、直焚き再生器３、低温再生器４、凝縮器５、蒸発器７、そして吸収器９などよりも上に設置されている。
【００１８】
排ガス焚き再生器１には、図１及び図２に示すように、燃焼による排ガスを発生する機器類から排ガスを排ガス焚き再生器１内の排ガスの流路に導く導入流路となる導入ダクト１１、そして、排ガス焚き再生器１内の排ガスの流路から排ガスを排出するための排出流路となる排出ダクト１３が連結されている。導入ダクト１１と排出ダクト１３とは、導入ダクト１１から分岐し、排出ダクト１３に合流してバイパス流路となるバイパスダクト１５で連結されている。導入ダクト１１とバイパスダクト１５との分岐部１７には、導入ダクト１１とバイパスダクト１５とに排ガスの流れを切り換える流路切換手段１９として、第１ダンパー１９ａ及び第２ダンパー１９ｂの２つのダンパーが設けられている。第１ダンパー１９ａは、分岐部１７の導入ダクト１１側に設けられている。第２ダンパー１９ｂは、分岐部１７のバイパスダクト１５側に設けられている。
【００１９】
バイパスダクト１５と排出ダクト１３との合流部２１よりも排ガスの流れに対して上流側の排出ダクト１３の部分には、第３ダンパー２３が設けられている。排出ダクト１３の第３ダンパー２３と排ガス焚き再生器１との間の部分には、送気手段２５が設けられている。送気手段２５は、送気用のブロア２５ａ、排出ダクト１３の第３ダンパー２３と排ガス焚き再生器１との間の部分にブロア２５ａの吹出口を連結する送気管路２５ｂ、そして送気管路２５ｂに設けられた逆止ダンパー２５ｃなどで構成されている。
【００２０】
このような排ガス焚き再生器１には、図１に示すように、吸収器９で生成された稀溶液を排ガス焚き再生器１内の稀溶液の流路に導く稀溶液管路２７が連結されている。稀溶液管路２７の吸収器９からの出口部分には、稀溶液を送液するためのポンプ２９が設けられている。排ガス焚き再生器１の底部には、排ガス焚き再生器１内の稀溶液または中間濃溶液が通流する溶液管路２９の一端が連結されている。溶液管路２９の他端は、バーナの燃焼によって稀溶液または中間濃溶液を加熱する直焚き再生器３に連結されている。排ガス焚き再生器１の上部には、排ガス焚き再生器１内で生成された冷媒蒸気が通流する第１冷媒蒸気管路３１の一端が連結されており、第１冷媒蒸気管路３１の他端は、気液分離器３３に連結されている。
【００２１】
気液分離器３３の底部には、気液分離器３３内の底部に溜まった中間濃溶液を低温再生器４に導く中間濃溶液管路３５の一端が連結されている。中間濃溶液管路３５の他端は、低温再生器４に連結されている。直焚き再生器３は、排ガス焚き再生器１よりも低い位置に配設されている。直焚き再生器３の上部には、直焚き再生器３内で生成された冷媒蒸気と中間濃溶液が通流する揚液管路３７の一端が連結されており、揚液管路３７の他端は、気液分離器３３内で開口している。
【００２２】
低温再生器４内には、気液分離器３３内と連通し、気液分離器３３内の冷媒蒸気が通流する熱交換用流路４ａが設置されている。熱交換用流路４ａには、低温再生器４で加熱された熱交換用流路４ａ内を通流する冷媒蒸気を凝縮器５に導く第２冷媒蒸気管路３９が連結されている。また、低温再生器４には、中間濃溶液管路３５から流入してきた中間濃溶液を、熱交換用流路４ａ内を通流する冷媒蒸気の熱で加熱して濃溶液とした後、吸収器９に送るための濃溶液管路４１の一端が連結されている。濃溶液管路４１の他端は、吸収器９に連結されている。
【００２３】
凝縮器５の内部には、冷却水が通流する冷却水管路４３に連結されて冷却水の流路の一部分を形成する熱交換流路５ａが設けられている。凝縮器５の底部には、冷媒蒸気が凝縮して液化した冷媒が通流する冷媒管路４５の一端が連結されている。冷媒管路４５の他端は、蒸発器７の内部に設けられた図示していない冷媒散布部に連結されている。蒸発器７の内部には、蒸発器７内で冷却または加温されて空調用の室内機などに送られる室内機用冷媒、例えば水が通流する冷温水管路４７が連結されて、室内機用冷媒となる水の流路の一部分を形成する熱交換流路７ａが設けられており、図示していない冷媒散布部が、熱交換流路７ａに冷媒を散布する。
【００２４】
吸収器９は、図１には図示されていないが、実際には蒸発器７と連通しており、蒸発器７で発生した冷媒蒸気が吸収器９に流入可能に構成されている。吸収器９の内部には、冷却水管路４３に連結されて冷却水の流路の一部分を形成する熱交換流路９ａが設けられている。また、吸収器９の内部には、濃溶液管路４１が連結されて熱交換流路９ａに濃溶液を散布する図示していない濃溶液散布部などが設けられている。吸収器９の底部には、蒸発器７で生成された冷媒蒸気を濃溶液が吸収することで生成された稀溶液を排ガス焚き再生器１に送るための稀溶液管路２７の一端が連結されている。また、吸収器９の底部には、吸収器９の底部に溜まった溶液を、中間濃溶液管路３５を介して低温再生器４に導くため、中間濃溶液管路３５に連結された溶液管路４９の一端が連結されている。溶液管路４９の他端は、中間濃溶液管路３５に連結されている。
【００２５】
溶液管路４９には、溶液管路４９への溶液の通流を制御する弁４９ａが設けられている。中間濃溶液管路３５には、溶液管路４９との合流部よりも中間濃溶液の流れに対して下流側で、稀溶液管路２７から分岐した分岐管路５１が合流している。また、中間濃溶液管路３５の溶液管路４９の合流部と分岐管路５１の合流部との間の部分には、稀溶液管路２７内を通流する稀溶液と、中間濃溶液管路３５内を通流する溶液との間で熱交換を行うための高温熱交換器５３が設けられている。なお、高温熱交換器５３は、稀溶液管路２７の分岐管路５１との分岐部よりも稀溶液の流れに対して下流側の部分に設けられている。
【００２６】
稀溶液管路２７のポンプ２９よりも稀溶液の流れに対して下流側の部分には、逆止弁５５が、さらに、稀溶液管路２７の逆止弁５５よりも稀溶液の流れに対して下流側で分岐管路５１との分岐部よりも上流側の部分には、稀溶液管路２７内を通流する稀溶液と濃溶液管路４１内を通流する濃溶液との間で熱交換を行う低温熱交換器５７などが設けられている。なお、冷却水管路４３は、吸収器９から凝縮器５を通り図示していない冷却塔に冷却水が循環するように配管されている。
【００２７】
このような構成の吸収式冷温水機の排ガス焚き再生器への排ガスの通流を制御する流路切換手段１９や第３ダンパー２３、送気手段２５などの動作と本発明の特徴部について説明する。吸収式冷温水機の運転を行うときで、排ガスを発生する機器類が排ガスを発生しているとき、流路切換手段１９の第２ダンパー１９ｂは閉じ、第１ダンパー１９ａは開き、さらに、第３ダンパー２３も開くことで、排ガスが導入ダクト１１に流れるようにする。これにより、排ガスが排ガス焚き再生器１内を通流し、排ガスからの入熱で吸収式冷温水機が駆動される。このとき、本実施形態の送気手段２５は、逆止ダンパー２５ｃを備えているので、逆止ダンパー２５ｃを閉じれば、送気管路２５ｂを介して排出ダクト１３から排ガスがブロア２５ａに流れ込むことがない。このため、逆止ダンパー２５ｃをは閉じ、ブロア２５ａは、停止した状態とする。送気手段２５が、逆止ダンパー２５ｃのような逆流防止手段を備えていない構成にすることもできるが、この場合には、排ガスがブロア２５ａに流れ込むのを防ぐため、ブロア２５ａを駆動させる。
【００２８】
なお、本実施形態の吸収式冷温水機では、直焚き再生器３を備えているため、排ガスによる入熱量が、必要な入熱量に満たない場合や、排ガスが無いときに吸収式冷温水機が運転される場合には、直焚き再生器３が駆動される。
【００２９】
一方、吸収式冷温水機の運転を行わないときで、排ガスを発生する機器類が排ガスを発生しているとき、流路切換手段１９の第２ダンパー１９ｂは開き、第１ダンパー１９ａは閉じ、さらに、第３ダンパー２３も閉じることで、排ガスがバイパスダクト１５に流れるようにする。これにより、排ガスがバイパスダクト１５を流れ、排ガス焚き再生器１内に通流しなくなる。しかし、第１ダンパー１９ａは、ダンパーの構造上漏れが発生するため、導入流路１１を介して排ガス焚き再生器１内に排ガスが侵入する場合がある。そこで、このとき、送気手段２５は、逆止ダンパー２５ｃを開き、ブロア２５ａを駆動することで、排ガス焚き再生器１内の排ガスの流路を含め、第１ダンパー１９ａと第３ダンパー２３との間の排ガスの流路内に空気を吹き込む。これにより、第１ダンパー１９ａと第３ダンパー２３との間の排ガスの流路内の圧力が、第１ダンパー１９ａよりも排ガスの流れに対して上流側の排ガスの流路内の圧力よりも陽圧となる。このため、第１ダンパー１９ａの漏れによる排ガスの排ガス焚き再生器１への侵入を防ぐことができる。
【００３０】
また、吸収式冷温水機の運転を行わないときで、排ガスを発生する機器類が排ガスを発生していないとき、流路切換手段１９、第３ダンパー２３は、動作を行わず、送気手段２５は、停止した状態とする。
【００３１】
このように、本実施形態の吸収式冷温水機では、導入ダクト１１に第１ダンパー１９ａを設け、バイパスダクト１５に第２ダンパー１９ｂを設けて排ガスの流れを切り換える流路切換手段１９としている。さらに、排出ダクト１３に第３ダンパー２３を、排出ダクト１３の第３ダンパー２３と排ガス焚き再生器１との間の部分に気体を吹き込む送気手段２５を設けている。そして、排ガスを発生する機器類が排ガスを発生しているときに吸収式冷温水機が停止していると、第１ダンパー１９ａと第３ダンパー２３を閉じ、第２ダンパー１９ｂを開くことで、排ガスがバイパス流路を通流する状態にできる。このとき、送気手段２５のブロア２５ａが駆動されるが、送気手段２５は、第１ダンパー１９ａと第３ダンパー２３の間の、排ガス焚き再生器１内の排ガスの流路を含む閉じた空間内を昇圧できればよい。このため、ブロア２５ａの風量を抑えることができる。さらに、ダンパーの数は従来に比べて少なくて済み、構成を簡素化できる。すなわち、構成を簡素化しながらブロアの必要な風量を抑えることができる。
【００３２】
さらに、ブロアの風量を抑えることができることにより、ブロアによる騒音を低減でき、また、ブロアの消費電力を低減できる。
【００３３】
ところで、従来の吸収式冷温水機のように、バイパス流路側と排出流路側との合流部に排ガスの通流方向を切り換えるダンパーを設けると共に、排出流路に送気手段を設けた構成では、バイパス流路側と排出流路側との合流部に三方ダンパーを用いることは難しく、バイパス流路と排出流路とに各々ダンパーを設ける構成となり、ダンパーの数を減らして、構成をさらに簡素化することは難しい。三方ダンパーは、図３に示すように、バイパスダクト１５と排出ダクト１３との合流部２１に流路切換手段として三方ダンパー５８を用いた場合、アクチュエータで回動する１つの軸５８ａに一辺側が固定された１枚の可動板５８ｂが軸５８ａを回転軸として回転移動することにより、排出ダクト１３及びバイパスダクト１５のいずれかの流路を閉塞できる。
【００３４】
したがって、吸収式冷温水機の運転を行わないときで、排ガスを発生する機器類が排ガスを発生しているとき、図３に示すような三方ダンパー５８の可動板５８ｂを塞いだ状態にすると、排ガスの流れが可動板５７ｂを可動板５８ｂの可動方向に押すことになる。つまり、通常でも漏れが起こる可動板５８ｂのシール性がさらに低下し、排ガスの漏れが増大するため、従来の吸収式冷温水機では、三方ダンパーを用いてダンパーの数を減らし、構成をさらに簡素化することは難しい。
【００３５】
これに対して、本実施形態の吸収式冷温水機では、流路切換手段を導入ダクト１１側に設けているため、三方ダンパーを用いる場合、図４に示すように、三方ダンパー５８は、導入ダクト１１とバイパスダクト１５との分岐部１７に設ける構成となる。この場合、排ガスの流れが三方ダンパー５８の可動板５８ｂを閉方向に押すことになるため、可動板５８ｂのシール性が低下しないばかりか、増大できる場合もある。したがって、排ガスの漏れが増大し難くなるか、または減少するため、三方ダンパーを用いることができ、ダンパーの数をさらに減らせるため、構成をさらに簡素化できる。
【００３６】
なお、三方ダンパーを用いることにより構成をさらに簡素化できるが、本実施形態のように流路切換手段１９を第１ダンパー１９ａと第２ダンパー１９ｂとで構成した場合、必ずしも第１ダンパー１９ａと第２ダンパー１９ｂとを分岐部１７に設ける必要が無くなり、第１ダンパー１９ａと第２ダンパー１９ｂとの設置の自由度を高くでき、また、これにより吸収式冷温水機の設計や設置の自由度を高くできる。
【００３７】
さらに、従来の吸収式冷温水機のように、バイパス流路側と排出流路側との合流部に排ガスの通流方向を切り換えるダンパーを設けると共に、排出流路に送気手段を設けた構成では、排ガスの流れを導入流路への流れとバイパス流路への流れとに切り換えられなくなるため、バイパス流路を排出流路に合流させない構成にすることができない。
【００３８】
これに対して、本実施形態の吸収式冷温水機では、流路切換手段を導入ダクト１１側に設けているため、バイパス流路つまりバイパスダクト１５は、排出流路つまり排出ダクト１３に合流する必要はなく、図５に示すように、バイパスダクト１５と排出ダクト１３とが各々異なる流路として排ガスを排気する構成にできる。この場合、流路切換手段１９は、導入ダクト１１とバイパスダクト１５との分岐部１７に三方ダンパーを設けた構成にできるし、導入ダクト１１に第１ダンパー１９ａをバイパスダクト１５に第２ダンパー１９ｂを設けた構成にすることもできる。導入ダクト１１に第１ダンパー１９ａをバイパスダクト１５に第２ダンパー１９ｂを設けた構成の場合、バイパスダクト１５に設けた第２ダンパー１９ｂの設置位置は、分岐部１７や分岐部１７の近傍に限らず、バイパスダクト１５のどの位置にでも設置することができる。さらに、バイパス流路の配管の自由度を高くできるため、吸収式冷温水機の設計や設置の自由度を高くできる。
【００３９】
また、本実施形態では、室内機用冷媒として水を例示したが、室内機用冷媒としては様々な冷媒を用いることができる。
【００４０】
また、本発明は、本実施形態の構成の吸収式冷温水機に限らず、排ガス焚き再生器を備えた様々な構成の吸収式冷温水機に適用することができる。
【００４１】
【発明の効果】
本発明によれば、構成を簡素化しながらブロアの風量を抑えることができる。
【図面の簡単な説明】
【図１】本発明を適用してなる吸収式冷温水機の一実施形態の概略構成を示す図である。
【図２】本発明を適用してなる吸収式冷温水機の一実施形態における排ガス焚き再生器に連結された排ガスの流路の概略構成を示す図である。
【図３】従来の吸収式冷温水機の排ガスの流路に三方ダンパーを設置した場合を示す図である。
【図４】本発明を適用してなる吸収式冷温水機の一実施形態における排ガス焚き再生器に連結された排ガスの流路に三方ダンパーを設置した場合を示す図である。
【図５】本発明を適用してなる吸収式冷温水機の変形例のを示す図である。
【符号の説明】
１  排ガス焚き再生器
１１  導入ダクト
１３  排出ダクト
１５  バイパスダクト
１７  分岐部
１９  流路切換手段
１９ａ  第１ダンパー
１９ｂ  第２ダンパー
２１  合流部
２３  第３ダンパー
２５  送気手段
２５ａ  ブロア
２５ｂ  送気管路
２５ｃ  逆止ダンパー
【図１】
2004239544.tif 000003
【図２】
2004239544.tif 000004
【図３】
2004239544.tif 000005
【図４】
2004239544.tif 000006
【図５】
2004239544.tif 000007